(57)【要約】      （修正有）【課題】Ｂ．Ｃ．４７１３年にまで遡りそこからＡ．Ｄ．９０００年位迄の１０干、１２支を求めることができるカレンダーを提供する。【解決手段】１２コの序列があり又それで尽きるのであるから円板と円柱の動かし方とさらに補助手段を付加すればこの装置で充分に役に立つ見通しが得られていた。円柱の側面３６番のコマの３×１０ｋ、６×１０ｋ、９×１０ｋ、の３、６、９、を（ホ）の辰（甲）のコマの下部にうつし取り、同様に２８番のコマの１×１０ｋ、４×１０ｋ、７×１０ｋ、の１、４、７、…を（ホ）の申（辰）のコマにうつし取り、さらに、３２番のコマの２×１０ｋ、５×１０ｋ、８×１０ｋ、の２、５、８、を（ホ）の子（子）のコマに写し取り写しとったそれぞれの数字の群は、０、１、２を初項とする等差列を為す、からこれを拡張して２０、２１、２２、等、大きな数まで書込んでおく、そしてまず２１の数に焦点を合せる。【選択図】図１
0003125170.tif 000002
【実用新案登録請求の範囲】
図のように中心から半径をとりその回りに動く機能と形式とをもった周を１２等分された円板と１個の円柱を組合わせＢ．Ｃ．４７１３年からＡ．Ｄ．９０００年頃迄の正負の年次に対してその１０干、１２支を求めに応じて決定し得る装置に対して
【考案の詳細な説明】
【考案の詳細な説明】
円板の円周を１２に等分してそれぞれ▲１▼子（子）、▲２▼丑（亥）▲３▼寅（戌）、▲４▼卯（酉）、▲５▼辰（申）、▲６▼巳（未）、▲７▼午（午）、▲８▼未（巳）、▲９▼申（辰）、▲１０▼酉（卯）、▲１１▼戌（寅）、▲１２▼亥（丑）、の１２の序列を宛てがうものとする、そして▲５▼の辰（申）のコマに０、３、６、９…２１…の数群
0003125170.tif 000003
５、８…２０…２３の数群を書き込んでおく、次にこの円板の直径より小さな径の円柱の高さを適当にして側面をタテに１２等分し段差を設け（３段  図２．）反時計回りに１から
0003125170.tif 000004
の上に来るように円板と円柱の中心を合わせて置き据える、そうすると円板と円柱とは１つの構造体となりたとえば２、５、８、…２０、２３を−２００年、−５００年、−８００年、…−２０００年、−２３００年と読めば庚（かのえ）子であると解けるし又２、５、８…２０、２３の数群のそれぞれから１を引き１、４、７、…１９、２２を作るそして１００倍すればプラス１００年、４００年、７００年、…１９００年、２２００年が庚子であるとも言える、同じく０、３、６、９…２１の数群は０年、−３００年、−６００年、−９００年、…−２１００年とも読めるし１を差引いて１００倍するからプラス２００年、５００年、８００年、…２０００年、とも言えるが此等はそのままよめばマイナスの場合のかのえ申でプラスによみとるとかのえ辰となる、１、４、７…１９、２２の数群はそのまま１００倍ではかのえ辰、ただし符号はマイナスの時、である１マイナスすると０年、３００年、６００年…１８００年、２１００年の読みとなりこれはかのえ申である。一般に年次から入いる時はプラスの場合とマイナスの場合においてプラスの年次ならば括弧の外を、マイナスの年次ならば括弧の内の１２支をよみとらなければ
0003125170.tif 000005
合わせ（２０００＋３５）年だからである、この場合はきのと卯であり西暦−２０３５年ならばきのと丑である、所で−４７１２年の末桁は２であるがこの２を２より引くと０、２からマイナス年の末桁を引く
0003125170.tif 000006
又プラスの年のときは、２にプラス年の末桁を加えるその数がたとえば７ならばきのと、８ならばひのえとなる
0003125170.tif 000007
【図面の簡単な説明】
【図１】第１図  平面図、第２図側面図、第３図斜視図  ま上から見たところ、よこから見た所、概観図である。本考案では（ニ）と（ホ）を主に用いる。
【図１】
0003125170.tif 000008
【図２】
0003125170.tif 000009
【図３】
0003125170.tif 000010
【手続補正書】
【提出日】平成17年11月14日(2005.11.14)
【手続補正１】
【補正対象書類名】実用新案登録請求の範囲
【補正対象項目名】全文
【補正方法】変更
【補正の内容】
【実用新案登録請求の範囲】
【請求項１】
西暦紀元０年は、かのえさる（庚申）である
西暦紀元−１００年はかのえたつ（庚辰）である．
西暦紀元１００年はかのえね（庚子）である．
西暦紀元−２００年はかのえね（庚子）である．
西暦紀元２００年はかのえたつ（庚辰）である．
西暦紀元−３００年はかのえさる（庚申）である．
西暦紀元３００年はかのえさる（庚申）である．
西暦紀元−４００年はかのえたつ（庚辰）である．
西暦紀元４００年はかのえね（庚子）である．
西暦紀元−５００年はかのえね（庚子）である．
今便宜のためにこれ等の年数の１００分の１をとり．−１と−４はかのえたつ０と３はかのえ申．０と−３もかのえ申．１と４はかのえ子．
0003125170.tif 000011
１２支に括弧をつけたものを（子）．（丑）．（寅）．（卯）．（辰）．（巳）．（午）．（未）．（申）．（酉）．（戌）．（亥）．とし上のそれぞれの右側に時計回りに配置して書く．つまり１組２つとして全部で１２組の配置ができるそれぞれを円板を中心から１２分割したコマに収めると［図１］のようになるそうすると−１，−４は申（辰）に−２，−５は子（子）に−３，−６は辰（申）に属するものとしてコマ内に書入れることができる．そしてよく見ると−１，−４は（辰）に対してのものであり．−２，−５は（子）の０，−３，−６は（申）に対してのものであることが分かるこの３つの組は円周を１２０°づつに３分割しているこれ等につくマイナスの符号を仮にとり去り、これ等の３つの組に対する番号のように考えれば申（辰）の１からはじめて左回りに２．３．４．５．と番号をいくらでもふやして行ける．そしてこれ等のふえた番号について
0003125170.tif 000012
１回りして３００年のこの関係では番号が大きくなっても最初と同じえと（干支）になっている．それではマイナス年の場合はこれでいいとして．プラス年の場合はどうであろうか？実はこれらの番号から総じてプラス１を引き去るのである．すると１．４．７．１０．は０．３．６．９となり２．５．８．１１．は１．４．７．１０．となり３．６．９．１２．は２．５．８．１１となるがこれは例えば．−１００年は庚（辰）であり０年は庚申なのであるから同じコマ内の（辰）から申によび名を変えるに等しい分けである．つまり番号から１を引き去った時は同じコマ内の（  ）でない方のよび名を、引き去らない時は（  ）の方のよび名をその名にすればよいこよになる．このことは試算をすればみな正しいものと分かる．次に円柱の半径を任意に選び側面をタテに１２等分割ヨコを３等分割してそれぞれ線を書き入れる．
0003125170.tif 000013
入れあとをつづける横の番号は年数とみなしてこの円柱を先の１２支を付り込んだ円板の中心に合せて立てるとよいのである例えば西暦
0003125170.tif 000014
そして円柱の４５年の所を見ると戌年と出る又西暦２３５年のえとは卯年と出るこの場合２−５＝−３，−３＋１０＝７故に乙戌（きのといぬ），又２＋５＝７故に乙卯（きのとう）である．
上の２につく±５は西暦年の末尾の桁である  又２は西暦０年がかのえ（庚）であることに由来がある．つまり０つちのえ，１つちのと，２かのえ，３かのと，４みずのえ，５みずのと，６きのえ，７きのと，８ひのえ，９ひのと，であって上の場合は２かのえ，２±５はこのかのえからのへだたりが共に７きのとであることを意味している
【手続補正２】
【補正対象書類名】明細書
【補正対象項目名】全文
【補正方法】変更
【補正の内容】
【考案の詳細な説明】
【考案の詳細な説明】
【０００１】  円板の円周を１２に等分してそれぞれ▲１▼子（子）、▲２▼丑（亥）▲３▼寅（戌）、▲４▼卯（酉）、▲５▼辰（申）、▲６▼巳（未）、▲７▼午（午）、▲８▼未（巳）、▲９▼申（辰）、▲１０▼酉（卯）、▲１１▼戌（寅）、▲１２▼亥（丑）、の１２の序列を宛てがうものとする、そして▲５▼の辰（申）のコマに０、３、６、９…２１…の数群
0003125170.tif 000015
５、８…２０…２３の数群を書き込んでおく、次にこの円板の直径より小さな径の円柱の高さを適当にして側面をタテに１２等分し段差を設け（３段  図２．）反時計回りに１から
0003125170.tif 000016
の上に来るように円板と円柱の中心を合わせて置き据える、そうすると円板と円柱とは１つの構造体となりたとえば２、５、８、…２０、２３を−２００年、−５００年、−８００年、…−２０００年、−２３００年と読めば庚（かのえ）子であると解けるし又２、５、８…２０、２３の数群のそれぞれから１を引き１、４、７、…１９、２２を作るそして１００倍すればプラス１００年、４００年、７００年、…１９００年、２２００年が庚子であるとも言える、同じく０、３、６、９…２１の数群は０年、−３００年、−６００年、−９００年、…−２１００年とも読めるし１を差引いて１００倍するからプラス２００年、５００年、８００年、…２０００年、とも言えるが此等はそのままよめばマイナスの場合のかのえ申でプラスによみとるとかのえ辰となる、１、４、７…１９、２２の数群はそのまま１００倍ではかのえ辰、ただし符号はマイナスの時、である１マイナスすると０年、３００年、６００年…１８００年、２１００年の読みとなりこれはかのえ申である。一般に年次から入いる時はプラスの場合とマイナスの場合においてプラスの年次ならば括弧の外を、マイナスの年次ならば括弧の内の１２支をよみとらなければ
0003125170.tif 000017
合わせ（２０００＋３５）年だからである、この場合はきのと卯であり西暦−２０３５年ならばきのと丑である、所で−４７１２年の末桁は２であるがこの２を２より引くと０、２からマイナス年の末桁を引く
0003125170.tif 000018
又プラスの年のときは、２にプラス年の末桁を加えるその数がたとえば７ならばきのと、８ならばひのえとなる
0003125170.tif 000019
【図面の簡単な説明】
【０００２】
【図１】平面図である
【図２】側面図である
【図３】斜視図である
【手続補正３】
【補正対象書類名】図面
【補正対象項目名】全図
【補正方法】変更
【補正の内容】
【図１】
0003125170.tif 000020
【図２】
0003125170.tif 000021
【図３】
0003125170.tif 000022
【手続補正書】
【提出日】平成18年3月1日(2006.3.1)
【手続補正１】
【補正対象書類名】実用新案登録請求の範囲
【補正対象項目名】全文
【補正方法】変更
【補正の内容】
【実用新案登録請求の範囲】
【請求項１】
直径１２センチの円板と直径８センチ高さ６．５センチ位の円柱を用意する，円板の上に円柱を重ね中心を合せて互いに自由に手で回転できるようにしておく，別に白紙３枚程用意し次にコンパスで直径１２センチの円を画き，８センチの同心円をくりぬきこれからのべる作図をして切抜いて円板と円柱の側面に張りつける。まず１２センチの円を画き内接６角形をつくりこの各辺を２等分しぜん部で１２角形が内接した円にする，そして８センチの同心円をかく。出来た１２の扇形の１コマの上に上部に子子と書き入れるこの大小２つの子はそれぞれ別々の色に書き分ける大きい方は黒で小さい方は赤でという風に。子子の下の空白の
0003125170.tif 000023
暦年の上１桁又は上２桁であるこの右となりのコマに丑亥と書く．そ
のとなりに寅戌と又その隣りに卯酉といづれも小さい方は赤インクで，初
0003125170.tif 000024
ンクで書き入れるその右となりは巳未である。その次は午午と，又この右となりに未巳とかく小さい方は皆赤インクで，さて次の扇形のコマ上部には
0003125170.tif 000025
と次は亥丑といづれも右側の小さい１２支の名は赤インクで書く．
次に長さ２５．５センチ、巾６．５センチの白紙に巾を３等分する線を２本引き長さは２．１２センチ位づつ１２等分する紙の厚さにより違いが出るので良く定規ではかり按配して１２等分する。出来た３６コのマスに反時計回りに上から下の方へと１〜６０迄の番号をつける
３７は１と同じマスであり６０は２４と同じマスになる。先の中空の円板と上の１２等分３６コのマス目を書かれた長方形の紙を切り抜きそれぞれノリ付けすれば準備完了である，これ等は言わば器械装置であってこれ等を手で機能的に働かして−４７１２年から以来の西暦の年次のえとを表すようにするのであるつまり内わに見積って４５００年迄の西暦年のえとカレンダーなのである。西暦２５５５年のえとはどう見るかと
0003125170.tif 000026
合せ，５５年のところを見ると未巳である．つまり２５５５年は未だとなる
0003125170.tif 000027
赤インクの酉を読みとる．つまり−２５５５年は、酉年となる．これ等の１０干は何となるだろうか？１ばん初めの−４７１２年はかのえ子であることから，さらに１０干は１０進法にしたがうから年次の末桁の数２に±２５５５の末桁５をプラスしたり，マイナスしたりすればよい。したがって２５５５年は
0003125170.tif 000028
合は１０をプラスしてつまりここでは−３＋１０＝７，故に西暦２５５５年はきのと、−２５５５年もきのとである．と言える．ただし
0003125170.tif 000029
された円板と円柱との組合せで西暦の±の年次のえとを出せるようにした．１２支カレンダー。
【手続補正書】
【提出日】平成18年5月15日(2006.5.15)
【手続補正１】
【補正対象書類名】実用新案登録請求の範囲
【補正対象項目名】全文
【補正方法】変更
【補正の内容】
【実用新案登録請求の範囲】
【請求項１】
半径が円柱よりも大きい円板を用意するそして円柱を円板の中心に立てる．この２つのものの関係において
（１）円板を１２分割し中心に対してぐるりと１２支を書き込む．それぞれのコマの内に入いるようにして反対向きにも小さい字で１２支を書き込む
0003125170.tif 000030
（３）円柱の側面に高さを３等分ぐるりと１巡の向きに１２等分し合計３６コのマスに１から６０迄の番号を書き入れた髪を張りつける．
例；西暦２５９９年のえとはどう見るかというとこれを２５と９９の２つに分けるそして２５＋１＝２６のコマの右となり丑亥のコマに円柱１，１３，２５，３７，４９のタテ列を合せるそして９９の番号の１２支を見るのであるが９９＝６０＋３９と見なすと３９の番号の１２支は卯と出る．つまりプラスの西暦年は上２桁内至１桁の数に１をプラスして用いればよいのであるでは−２５９９年のえとは何であるかというとマイナスを取り去って２５と９９に分け２５を含む申辰の右トナリ酉卯の上に１，１３，２５，…が来るように調節し同じく３９番のところを見ると亥丑だがマイナスの年の場合は小さい丑をとる．上の２つの例で１０干はどうなるかというと１０干は１０進法なので−４７１２年に始まるこの計算法は末桁の２に．±９を計算しつまり．１１又は−７．１１−１０＝１．−７＋１０＝３つまり１０をオーバーしたら１０を引き．マイナスには１０を足す．１はつちのとで３はかのと．を示す．したがって上例はつちのと卯とかのと丑となる．
0003125170.tif 000031
【手続補正２】
【補正対象書類名】明細書
【補正対象項目名】０００２
【補正方法】変更
【補正の内容】
【０００２】
【図１】平面図である
【図２】斜視図である
【図３】側面図である
【図４】側面展開図である
【手続補正３】
【補正対象書類名】図面
【補正対象項目名】全図
【補正方法】変更
【補正の内容】
0003125170.tif 000032
0003125170.tif 000033
0003125170.tif 000034
0003125170.tif 000035